(57)【特許請求の範囲】
【請求項１】
テレビジョンの中間周波数帯の信号を第一の中間周波信号にアップコンバートする第一の周波数変換器と、前記中間周波数帯の信号を第二の中間周波信号にアップコンバートする第二の周波数変換器と、前記第一の中間周波信号を所定の出力周波数帯域における低域側帯域内のいずれかのチャンネルのテレビジョン信号にダウンコンバートする第三の周波数変換器と、前記第二の中間周波信号を前記出力周波数帯域における前記低域側帯域に隣接した高域側帯域内のいずれかのチャンネルのテレビジョン信号にダウンコンバートする第四の周波数変換器とを備え、前記低域側帯域における最高周波数を前記第一の中間周波信号の周波数の１／２以下とし、前記高域側帯域における最低周波数を前記第二の中間周波信号の周波数の１／２以上とすると共に最高周波数を前記第二の中間周波信号の周波数以下としたことを特徴とするテレビジョン信号送信機。
【請求項２】
前記出力周波数帯域を５０ＭＨｚから１０００ＭＨｚまでとし、前記低域側帯域と前記高域側帯域とを分ける周波数をほぼ６００ＭＨｚとしたことを特徴とする請求項１に記載のテレビジョン信号送信機。
【請求項３】
前記第一の中間周波信号の周波数をほぼ１．３ＧＨｚとし、前記第二の中間周波信号の周波数をほぼ１．１ＧＨｚとしたことを特徴とする請求項１又は２に記載のテレビジョン信号送信機。
【請求項４】
前記第三の周波数変換器の出力側に前記低域側帯域を通過帯域とするバンドパスフィルタを設け、前記第四の周波数変換器の出力側に前記高域側帯域を通過帯域とするバンドパスフィルタを設けたことを特徴とする請求項１又は２又は３に記載のテレビジョン信号送信機。
【発明の詳細な説明】
【０００１】
【発明の属する技術分野】
本発明はテレビジョンの中間周波数帯の信号を送信すべきテレビジョン信号に変換するテレビジョン信号送信機に関する。
【０００２】
【従来の技術】
従来のテレビジョン信号送信機の構成を図４に示す。テレビジョンの中間周波数帯の信号（米国仕様では映像中間周波数が４５．７５ＭＨｚ、音声中間周波数が４１．２５ＭＨｚ）はバンドパスフィルタ１１を介して第一の混合器１２ａに入力される。第一の混合器１２ａは第一の局部発振器１２ｂと共に第一の周波数変換器１２を構成する。そして、第一の局部発振器１２ｂから１２５４．２５ＭＨｚの第一の局部発振信号が第一の混合器１２ａに入力される。第一の混合器１２ａでは中間周波数帯の信号と第一局部発振信号とが混合され、それらの周波数の和の中間周波信号（映像搬送波周波数が１３００ＭＨｚ、音声搬送波周波数が１２９５．５ＭＨｚ）が作られる。
【０００３】
中間周波信号はバンドパスフィルタ１３を介して第二の混合器１４ａに入力される。第二の混合器１４ａは第二の局部発振器１４ｂと共に第二の周波数変換器１４を構成する。そして、第二の局部発振器１４ｂから出力される第二の局部発振信号が第二の混合器１４ａに入力される。第二の局部発振信号の周波数はおよそ１３５０ＭＨｚから２３００ＭＨｚまで変化する。これによって第二の混合器１４ｂでは中間周波信号と第二の局部発振信号とが混合され、それらの周波数の差となる５０ＭＨｚから１０００ＭＨｚまでの所定の出力周波数帯域内のいずれかのチャンネルのテレビジョン信号が出力される。
【０００４】
このテレビジョン信号はバンドパスフィルタ１５を介してＣＡＴＶシステムのケーブルに送出される。バンドパスフィルタ１５は５０ＭＨｚから１０００ＭＨｚまでを通過帯域とする。
【０００５】
【発明が解決しようとする課題】
第一の混合器１２ａから出力された中間周波信号はバンドパスフィルタ１３を介して第二の混合器１４ａに入力されるが、周波数が高いために高調波を十分に減衰させることができない。そのため、中間周波信号の高調波が第二の混合器１４ａに入力されると、第二の混合器１４ａでは妨害信号が発生するがそのうち最も代表的なのが二倍高調波によるものである。この妨害信号は第二の局部発振信号の周波数が中間周波信号の周波数の１．５倍のときに発生する。以下詳しく説明する。
【０００６】
すなわち、中間周波信号の周波数をＦI、第二の局部発振信号の周波数をＦLとすると、第二の混合器１４ａから出力される希望波のテレビジョン信号の周波数ＦOは数式１で表される。
【数１】
0003892680.tif 000002
また、第二の混合器１４ａから出力される妨害信号の周波数ＦUは数式２で表される。
【数２】
0003892680.tif 000003
ここで、数式１と数式２とが等しくなったときに妨害が発生するのでその条件を求めると数式３が得られる。
【数３】
0003892680.tif 000004
【０００７】
即ち、第二の局部発振信号の周波数ＦLが中間周波信号の周波数ＦIの１．５倍となったときに妨害が生じる。そして、数式３を数式２に代入することで第二の混合器１４ａからは中間周波信号の周波数の１／２となる妨害信号ＦUが発生する。この妨害信号の周波数は希望のテレビジョン信号の周波数と一致し、しかも出力周波数帯域内に発生するので、第二の混合器１４ａの出力側に設けたバンドパスフィルタ１５によっては除去することが出来ない。
【０００８】
また、上記の説明から明らかなように、妨害信号の周波数は中間周波信号の周波数の１／２となることから、中間周波信号の周波数を高くして、出力する最高チャンネルのテレビジョン信号の周波数（つまり、出力周波数帯域の最高周波数）の二倍以上とすれば良いが、中間周波信号の周波数を高くすることは回路損失等の観点から得策でない。
【０００９】
本発明では、上記ような中間周波信号の二倍高調波に基づく妨害信号を第二の混合器から出力させないようにすることを目的とする。
【００１０】
【課題を解決するための手段】
上記の課題を解決するために、本発明では、テレビジョンの中間周波数帯の信号を第一の中間周波信号にアップコンバートする第一の周波数変換器と、前記中間周波数帯の信号を第二の中間周波信号にアップコンバートする第二の周波数変換器と、前記第一の中間周波信号を所定の出力周波数帯域における低域側帯域内のいずれかのチャンネルのテレビジョン信号にダウンコンバートする第三の周波数変換器と、前記第二の中間周波信号を前記出力周波数帯域における前記低域側帯域に隣接した高域側帯域内のいずれかのチャンネルのテレビジョン信号にダウンコンバートする第四の周波数変換器とを備え、前記低域側帯域における最高周波数を前記第一の中間周波信号の周波数の１／２以下とし、前記高域側帯域における最低周波数を前記第二の中間周波信号の周波数の１／２以上とすると共に最高周波数を前記第二の中間周波信号の周波数以下とした。
【００１１】
また、前記出力周波数帯域を５０ＭＨｚから１０００ＭＨｚまでとし、前記低域側帯域と前記高域側帯域とを分ける周波数をほぼ６００ＭＨｚとした。
【００１２】
また、前記第一の中間周波信号の周波数をほぼ１．３ＧＨｚとし、前記第二の中間周波信号の周波数をほぼ１．１ＧＨｚとした。
【００１３】
また、前記第三の周波数変換器の出力側に前記低域側帯域を通過帯域とするバンドパスフィルタを設け、前記第四の周波数変換器の出力側に前記高域側帯域を通過帯域とするバンドパスフィルタを設けた。
【００１４】
【発明の実施の形態】
本発明のテレビジョン信号送信機の構成を図１に示す。テレビジョンの中間周波数帯の信号（米国仕様では映像中間周波数が４５．７５ＭＨｚ、音声中間周波数が４１．２５ＭＨｚ）は入力バンドパスフィルタ１を介して第一の混合器２ａと第二の混合器６ａとに入力される。第一の混合器２ａは第一の局部発振器２ｂと共に第一の周波数変換器２を構成する。
【００１５】
そして、第一の局部発振器２ｂから出力される１２５４．２５ＭＨｚの第一の局部発振信号が第一の混合器２ａに入力される。第一の混合器２ａでは中間周波数帯の信号と第一の局部発振信号とが混合され、それらの周波数の和となる第一の中間周波信号（映像搬送波周波数が１３００ＭＨｚ、音声搬送波周波数が１２９５．５ＭＨｚ）が作られる。
【００１６】
第一の中間周波信号は第一の中間周波バンドパスフィルタ３を介して第三の混合器４ａに入力される。第三の混合器４ａは第三の局部発振器４ｂと共に第三の周波数変換器４を構成する。そして、第三の局部発振器４ｂから出力される第三の局部発振信号が第三の混合器４ａに入力される。第三の局部発振信号の周波数はおよそ１３５０ＭＨｚから１９００ＭＨｚまで変化し、これによって第三の混合器４ｂでは第一の中間周波信号と第三の局部発振信号とが混合されてそれらの周波数の差となる送信用テレビジョン信号が作られる。このテレにジョン信号は所定の出力周波数帯域５０ＭＨｚ〜１０００ＭＨのうちの低域側帯域５０ＭＨｚ〜６００ＭＨｚの間のいずれかのチャンネルのテレビジョン信号となる。
【００１７】
すなわち、図２に示すように、第三の混合器４ａから出力されるテレビジョン信号の周波数範囲は低域側帯域によって規定されるが、その最高周波数（６００ＭＨｚ）は第一の中間周波信号の周波数１３００ＭＨｚの１／２以下となっている。この帯域内のテレビジョン信号は第一の出力バンドパスフィルタ５を介してＣＡＴＶシステムのケーブルに送出される。第一の出力バンドパスフィルタ５は５０ＭＨｚから６００ＭＨｚまでの間を通過帯域とする。
【００１８】
一方、中間周波数帯の信号が入力される第二の混合器６ａは第二の局部発振器６ｂと共に第二の周波数変換器６を構成する。そして、第二の局部発振器６ｂから出力される１０５４．２５ＭＨｚの第二の局部発振信号が第二の混合器６ａに入力される。第二の混合器６ａでは中間周波数帯の信号と第二の局部発振信号とが混合され、それらの周波数の和となる第二の中間周波信号（映像搬送波周波数が１１００ＭＨｚ、音声搬送波周波数が１０９５．５ＭＨｚ）が作られる。
【００１９】
第二の中間周波信号は第二の中間周波バンドパスフィルタ７を介して第四の混合器８ａに入力される。第四の混合器８ａは第四の局部発振器８ｂと共に第四の周波数変換器８を構成する。そして、第四の局部発振器８ｂから出力される第四の局部発振信号が第四の混合器８ａに入力される。第四の局部発振信号の周波数はおよそ１７００ＭＨｚから２１００ＭＨｚまで変化し、これによって第四の混合器８ｂでは第二の中間周波信号と第四の局部発振信号とが混合され、それらの周波数の差となる送信用テレビジョン信号が作られる。このテレビジョン信号は所定の出力周波数帯域５０ＭＨｚ〜１０００ＭＨのうちの高域側帯域６００ＭＨｚ〜１０００ＭＨｚの間のいずれかのチャンネルのテレビジョン信号となる。
【００２０】
すなわち、図３に示すように、第四の混合器８ａから出力されるテレビジョン信号の周波数範囲は高域側帯域によって規定され、その最低周波数（６００ＭＨｚ）は第二の中間周波信号の周波数１１００ＭＨｚの１／２以上となり、且つ、最高周波数（１０００ＭＨｚ）は第二の中間周波信号の周波数以下となる。このテレビジョン信号は第二の出力バンドパスフィルタ９を介してＣＡＴＶシステムのケーブルに送出される。第二の出力バンドパスフィルタ９は６００ＭＨｚから１０００ＭＨｚまでの間を通過帯域とする。
【００２１】
なお、入力された中間周波数帯の信号は５０ＭＨｚから１０００ＭＨｚまでの間のいずれかのチャンネルのテレビジョン信号として出力されるので、第一の出力バンドパスフィルタ５又は第二のバンドパスフィルタ９を介して出力される。
【００２２】
以上の構成において、第一の中間周波信号、第二の中間周波信号の各周波数をそれぞれＦI1、ＦI2、第三の局部発振信号、第四の局部発振信号の各周波数をそれぞれＦL3、ＦL4とすると、第三の混合器４ａから出力されるテレビジョン信号の周波数ＦO3は数式４で示される。
【数４】
0003892680.tif 000005
【００２３】
一方、妨害信号の周波数ＦU3は数式５で示される。
【数５】
0003892680.tif 000006
そして、数式４と数式５とが等しくなったときに妨害が発生するのでその条件を求めると数式６が得られる。
【数６】
0003892680.tif 000007
【００２４】
即ち、第三の局部発振信号の周波数ＦL3が第一の中間周波信号の周波数ＦI1の１．５倍となるときに妨害が発生する。そこで、数式６を数式５に代入することで第三の混合器４ａから発生する妨害信号の周波数ＦU3が求められ、その値は第一の中間周波信号の周波数ＦI1の１／２、即ち６５０ＭＨｚとなる。
【００２５】
しかし、この妨害信号の周波数ＦU3は図２に示すように、第三の混合器４ａから出力されるテレビジョン信号の周波数範囲を規定する低域側帯域の最高周波数よりも高い方に外れ、またこのときは、第三の局部発振信号の周波数ＦL3もその変化範囲を超えることになるので、上記の妨害信号は実際には出力されない。
【００２６】
同様に、第四の混合器８ａから出力されるテレビジョン信号の周波数ＦO4は数式７で示される。
【数７】
0003892680.tif 000008
一方、妨害信号の周波数ＦU4は数式８で示される。
【数８】
0003892680.tif 000009
そして、数式７と数式８とが等しくなったときに妨害が発生するのでその条件を求めると数式９が得られる。
【数９】
0003892680.tif 000010
【００２７】
即ち、第四の局部発振信号の周波数ＦL4が第二の中間周波信号の周波数ＦI2の１．５倍となるときに妨害が発生する。そこで、数式９を数式８に代入することで第四の混合器８ａから発生する妨害信号の周波数ＦU4が求められ、その値は第二の中間周波信号の周波数ＦI2の１／２、即ち５５０ＭＨｚとなる。
【００２８】
しかし、この妨害信号の周波数ＦU4は図３に示すように、第四の混合器８ａから出力されるテレビジョン信号の周波数範囲を規定する低域側周波数帯域における最低周波数よりも低い方に外れ、しかも、このときは、第四の局部発振信号の周波数ＦL4もその変化範囲を超えることになるので、上記の妨害信号は実際には出力されない。
【００２９】
そして、低域側帯域と高域側帯域とを分割する周波数を６００ＭＨｚとしているので、第一の中間周波信号の周波数と第二の中間周波信号の周波数とを同程度に設定でき、されに、そのことによって第三の局部発振信号の周波数帯と第四の局部発振信号の周波数帯とをほぼ同程度とすることができる。
【００３０】
【発明の効果】
以上説明したように、本発明においては、第一の中間周波信号を所定の出力周波数帯域における低域側帯域内のいずれかのチャンネルのテレビジョン信号にダウンコンバートする第三の周波数変換器と、第二の中間周波信号を低域側帯域に隣接した高域側帯域内のいずれかのチャンネルのテレビジョン信号にダウンコンバートする第四の周波数変換器とを備え、低域側帯域における最高周波数を第一の中間周波信号の周波数の１／２以下とし、高域側帯域における最低周波数を第二の中間周波信号の周波数の１／２以上とすると共に最高周波数を第二の中間周波信号の周波数以下としたので、第一及び第二の中間周波信号の周波数を高くすることなく各中間周波信号の二倍高調波による妨害信号の発生を防止出来る。
【００３１】
また、所定の出力周波数帯域を５０ＭＨｚから１０００ＭＨｚまでとし、低域側帯域と高域側帯域とを分ける周波数をほぼ６００ＭＨｚとしたので、第一の中間周波信号の周波数と第二の中間周波信号の周波数とを共に出力周波数帯域の最高周波数よりも若干高くしたところに設定出来る。
【００３２】
また、第一の中間周波信号の周波数をほぼ１．３ＧＨｚとし、第二の中間周波信号の周波数をほぼ１．１ＧＨｚとしたので、第三の周波数変換器に必要な局部発振信号の周波数帯と第四の周波数変換器に必要な局部発振信号の周波数帯とをほぼ同程度とすることができる。
【００３３】
また、第三の周波数変換器の出力側に低域側帯域を通過帯域とするバンドパスフィルタを設け、第四の周波数変換器の出力側に高域側帯域を通過帯域とするバンドパスフィルタを設けたので、第三の周波数変換器と第四の周波数変換器との相互結合がなくなる。
【図面の簡単な説明】
【図１】本発明のテレビジョン信号送信機の構成を示す回路図である。
【図２】本発明のテレビジョン信号送信機における低域側帯域と第一の中間周波信号と妨害信号との関係を示す図である。
【図３】本発明のテレビジョン信号送信機における高域側帯域と第二の中間周波信号と妨害信号との関係を示す図である。
【図４】従来のテレビジョン信号送信機の構成を示す回路図である。
【符号の説明】
１  入力バンドパスフィルタ
２  第一の周波数変換器
２ａ  第一の混合器
２ｂ  第一の局部発振器
３  第一の中間周波バンドパスフィルタ
４  第三の周波数変換器
４ａ  第三の混合器
４ｂ  第三の局部発振器
５  第一の出力バンドパスフィルタ
６  第二の周波数変換器
６ａ  第二の混合器
６ｂ  第二の局部発振器
７  第二の中間周波バンドパスフィルタ
８  第四の周波数変換器
８ａ  第四の混合器
８ｂ  第四の局部発振器
９  第二の出力バンドパスフィルタ
【図１】
0003892680.tif 000011
【図２】
0003892680.tif 000012
【図３】
0003892680.tif 000013
【図４】
0003892680.tif 000014